(57)【特許請求の範囲】
【請求項１】
自装置の通信負荷の情報を取得し、取得した通信負荷の情報を基に、特定事象の発生の有無を判定し、前記特定事象が発生したと判定した場合、自装置から所定範囲にある他の基地局装置の通信負荷の情報を取得し、自装置の通信負荷の情報及び取得した他の基地局装置の通信負荷の情報を基に、前記特定事象の波及範囲及び波及時間を判定する判定部と、
前記波及範囲内の端末装置に対して、前記波及時間の間の着信検知をし易い設定への間欠受信の設定の変更を指示する設定制御部と
を備えたことを特徴とする基地局装置。
【請求項２】
前記判定部は、直前の通信負荷と現在の通信負荷との変化率を算出し、算出した変化率が所定の閾値以上の場合、前記特定事象が発生したと判定することを特徴とする請求項１に記載の基地局装置。
【請求項３】
前記判定部は、過去の同時刻における通信負荷の情報を記憶しており、取得した通信負荷と前記過去の同時刻における通信負荷との変化率が所定値以上の場合、前記特定事象が発生したと判定することを特徴とする請求項１又は２に記載の基地局装置。
【請求項４】
前記判定部は、外部装置から前記特定事象が発生した通知を受けた場合、前記特定事象が発生したと判定することを特徴とする請求項１〜３のいずれか一つに記載の基地局装置。
【請求項５】
前記波及範囲内の基地局装置に対して前記波及時間の間の着信検知をし易い設定への間欠受信の設定の変更を通知する通知部をさらに備え、
前記設定制御部は、前記通知部からの通知を受けて、自装置の配下の端末装置に前記波及時間の間、着信検知をし易い設定への間欠受信の設定の変更を指示する
ことを特徴とする請求項１〜４のいずれか一つに記載の基地局装置。
【請求項６】
前記設定制御部は、過去の負荷情報を基に所定日時における間欠受信の設定を予め決定しておき、前記判定部により前記特定事象が発生したと判定されていない場合、前記所定日時において前記予め決定した設定の使用を端末装置に指示することを特徴とする請求項５に記載の基地局装置。
【請求項７】
基地局装置、及び、前記基地局装置の間欠受信の設定を管理する設定管理装置を有する無線アクセスシステムであって、
前記設定管理装置は、
自装置の通信負荷の情報を取得し、取得した通信負荷の情報を基に、特定事象の発生の有無を判定し、前記特定事象が発生したと判定した場合、自装置から所定範囲にある他の基地局装置の通信負荷の情報を取得し、自装置の通信負荷の情報及び取得した他の基地局装置の通信負荷の情報を基に、前記特定事象の波及範囲及び波及時間を判定する判定部と、
前記判定部により特定された前記波及範囲内の基地局装置に対して、前記波及時間の間の着信検知をし易い設定への間欠受信の設定の変更を通知する通知部とを備え、
前記基地局装置は、
前記通知部からの通知を受けて、前記波及時間の間の着信検知をし易い設定への間欠受信の設定の変更を自装置の配下の端末装置に指示する設定制御部を備えた
ことを特徴とする無線アクセスシステム。
【請求項８】
自装置の通信負荷の情報を取得し、
取得した通信負荷の情報を基に、特定事象の発生の有無を判定し、
イベントが発生したと判定した場合、自装置から所定範囲にある他の基地局装置の通信負荷の情報を取得し、
自装置の負荷の情報及び取得した他の基地局装置の負荷の情報を基に、前記特定事象の波及範囲及び波及時間を特定し、
特定した前記波及範囲内の他の基地局装置に対して、前記波及時間の間、着信検知をし易い設定への間欠受信の設定の変更を指示する
ことを特徴とする基地局装置制御方法。
【発明の詳細な説明】
【技術分野】
【０００１】
本発明は、基地局装置、無線アクセスシステム及び基地局装置制御方法に関する。
【背景技術】
【０００２】
近年、基地局装置（ｅＮＢ：Evolved  Node  B）と移動局装置（ＵＥ：User  Equipment）の間でデータの送受信を行う際、省電力のための機能としてＤＲＸ（Discontinuous  Reception：間欠受信）が採用されることが増えてきている。ＤＲＸは、特定のタイミングで電源をＯＮにし、一定時間データの送受信が無いときに電源をオフにすることで実現される。
【０００３】
このＤＲＸにおける電源のＯＦＦ時間を長くすることで、省電力の効果を向上させることができる。ただし、電源がＯＦＦにされている間は、データの受信が行えず、通信遅延が発生するおそれがある。そこで、電源のＯＦＦ時間などのＤＲＸの設定を決定するＤＲＸパラメータを最適化し、省電力化と通信環境のバランスを取ることが好ましい。
【０００４】
なお、ＤＲＸにおける電源ＯＦＦの時間に影響を与えるＤＲＸパラメータとしては、例えば、ＤＲＸサイクル、Ｏｎ−ｄｕｒａｔｉｏｎ時間及び非アクティブタイマが存在する。ＤＲＸサイクルは、電源のＯＮ・ＯＦＦの周期長を示すパラメータである。Ｏｎ−ｄｕｒａｔｉｏｎ時間は、電源がＯＮになった後にデータの送受信を監視する期間を示すパラメータである。さらに、非アクティブタイマは、データの送受信が行われた際の監視時間の延長時間を示すパラメータである。
【０００５】
従来のＤＲＸパラメータの動的な変更手法は、単一のｅＮＢにおける現在の負荷情報のみ計測し、負荷差分が閾値を超えたタイミングでＤＲＸパラメータを変更することで負荷の変更に対応する。
【０００６】
また、近年はスマートフォンの増加及びそれに伴うデータ通信量の増加にしたがって、基地局の小セル化が進んでいる。この小セル化により各ｅＮＢがカバーするエリアが小さくなるため、利用者に一定の特徴が見いだすことが可能となる。すなわち、各ｅＮＢでの利用傾向は、時間帯やカバーエリアにおける発生事象と密接な関係を有するようになってきている。
【０００７】
例えば、交通機関の近くにあるｅＮＢでは、交通機関に乱れが出た場合、巻き込まれた人が乱れの原因や迂回ルートを把握するため、通信する可能性が上昇すると考えられる。これにより、ｅＮＢに対する通信が増加することが考えられる。さらに、近年ではスマートフォンにおけるプッシュ型のサービスが増加してきている。プッシュ型のサービスには例えば、災害警報のメール、及び、道路情報又は気象情報といった生活情報の提供サービスなどがある。このようなプッシュ型のサービスは、災害などの実際の事象の発生を契機として通信を発生させるものが多い。すなわち、プッシュ型のサービスが提供されている場合、発生事象に応じて多くの通信が発生することが考えらえる。この場合にも、ｅＮＢに対する通信が増加することが考えられる。
【０００８】
また、間欠受信を実行する技術として、着信履歴に基づいて間欠受信の周期を決定する従来技術が有る。また、他にも、着呼の頻度に応じて間欠受信の周期を変更する従来技術が有る。さらに、緊急用電話番号に対する発信が発生した場合に、間欠受信の周期を変更する従来技術が有る。
【先行技術文献】
【特許文献】
【０００９】
【特許文献１】特開２０１０−２８８２７８号公報
【特許文献２】特開平０９−３３１２８８号公報
【特許文献３】特開平０５−１８３４７８号公報
【特許文献４】国際公開第２００７／０６６３９３号
【発明の概要】
【発明が解決しようとする課題】
【００１０】
しかしながら、単一ｅＮＢにおける現在の負荷が閾値を超えた場合にＤＲＸパラメータを変更する従来技術では、実際に負荷が高くなるまでＤＲＸパラメータが変更されない。そのため、通信が増加する事象が発生した後、ある程度の時間が経過してからＤＲＸパラメータが変更されることになり、事象発生直後に通信量が集中する場合に対しては、適切な間欠受信の間隔を設定することが困難である。また、事象発生後に一定期間通信の増加が維持される場合であれば、一度の負荷の計測で一定時間の適切な設定が担保される。しかし、通信量の増加が不定期の場合や定期的な場合、適切なタイミングでパラメータを変化させるためには、負荷の計測頻度を多くすることが望ましい。このため、従来の手法では、変化差分を常に計算することになり、ｅＮＢの負荷が増大するおそれがある。
【００１１】
また、着信履歴又は着呼頻度を用いて間欠受信の間隔を変更する従来技術を用いても、特定の事象発生による通信量の増大は考慮されておらず、基地局装置の負荷を抑えながら適切な間欠受信の設定を行うことは困難である。さらに、緊急用電話番号に対する発信を契機として間欠受信の間隔を変更する従来技術は、特定の状態が発生しなければ間欠受信の間隔の変更が行われず、やはり基地局装置の負荷を抑えながら適切な間欠受信の設定を行うことは困難である。
【００１２】
開示の技術は、上記に鑑みてなされたものであって、基地局装置の負荷を抑えながら効果的に省電力化を行う基地局装置、無線アクセスシステム及び基地局装置制御方法を提供することを目的とする。
【課題を解決するための手段】
【００１３】
本願の開示する基地局装置、無線アクセスシステム及び基地局装置制御方法は、一つの態様において、判定部は、自装置の通信負荷の情報を取得し、取得した通信負荷の情報を基に、特定事象の発生の有無を判定し、前記特定事象が発生したと判定した場合、自装置から所定範囲にある他の基地局装置の通信負荷の情報を取得し、自装置の通信負荷の情報及び取得した他の基地局装置の通信負荷の情報を基に、前記特定事象の波及範囲及び波及時間を判定する。設定制御部は、前記波及範囲内の端末装置に対して、前記波及時間の間の着信検知をし易い設定への間欠受信の設定の変更を指示する。
【発明の効果】
【００１４】
本願の開示する基地局装置、無線アクセスシステム及び基地局装置制御方法の一つの態様によれば、基地局装置の負荷を抑えながら効果的に省電力化を行うことができるという効果を奏する。
【図面の簡単な説明】
【００１５】
【図１】図１は、基地局装置の設置状態の一例を表す図である。
【図２】図２は、無線アクセスシステムの構成図である。
【図３】図３は、実施例１に係るＤＲＸパラメータ制御部及びイベント通知サーバの詳細を表すブロック図である。
【図４】図４は、ＤＲＸパラメータを説明するための図である。
【図５】図５は、イベント種別表の一例を表す図である。
【図６】図６は、イベント用ＤＲＸパラメータ表の一例の図である。
【図７Ａ】図７Ａは、イベント影響度表の一例の図である。
【図７Ｂ】図７Ｂは、距離影響度表の一例を示す図である。
【図８】図８は、適用時間表の一例の図である。
【図９】図９は、イベントが発生した場合のＤＲＸパラメータの一例を表す図である。
【図１０】図１０は、実施例１に係る無線アクセスシステムにおけるイベント用ＤＲＸパラメータ設定の処理のフローチャートである。
【図１１】図１１は、実施例１に係る無線アクセスシステムによるイベント発生からＤＲＸパラメータが復帰するまでの処理のシーケンス図である。
【図１２】図１２は、イベント通知サーバによるイベント発生判定処理のシーケンス図である。
【図１３】図１３は、実施例２に係るＤＲＸパラメータ制御部及びイベント通知サーバの詳細を表すブロック図である。
【図１４】図１４は、時間帯に合わせたＤＲＸパラメータの決定方法を説明するための図である。
【図１５】図１５は、統計情報を用いたＤＲＸパラメータの設定を行った場合のＤＲＸパラメータの一例を表す図である。
【図１６】図１６は、統計情報を用いたＤＲＸパラメータ設定の処理のフローチャートである。
【図１７】図１７は、実施例２に係る無線アクセスシステムにおけるＤＲＸパラメータ設定の処理のシーケンス図である。
【図１８】図１８は、統計情報を用いたＤＲＸパラメータ設定を行っている無線アクセスシステムの状態を表す図である。
【図１９】図１９は、電車事故が発生した場合の無線アクセスシステムの状態を表す図である。
【図２０】図２０は、電車事故が終了した場合の無線アクセスシステムの状態を表す図である。
【図２１】図２１は、イベント通知サーバのハードウェア構成図である。
【発明を実施するための形態】
【００１６】
以下に、本願の開示する基地局装置、無線アクセスシステム及び基地局装置制御方法の実施例を図面に基づいて詳細に説明する。なお、以下の実施例により本願の開示する基地局装置、無線アクセスシステム及び基地局装置制御方法が限定されるものではない。
【実施例１】
【００１７】
図１は、基地局装置の設置状態の一例を表す図である。図１では、基地局装置１Ａ〜１Ｊが配置されている。基地局１Ａ〜１Ｊは、互いに近隣に配置されている。そして、基地局１Ａ、１Ｄ及び１Ｇは、河川４１の側に配置されている。また、基地局１Ｄ、１Ｅ及び１Ｆは、鉄道４２の各駅の側に配置されている。また、基地局１Ｃは、イベント会場４３の側に配置されている。
【００１８】
例えば、イベント会場４３でイベントが開催された場合には、イベント会場にいる人々による通信が急激に増加し、基地局装置１Ｃでは、管理化のＵＥ数や通信量が増加する。また、イベント会場の周りでもイベントに向かう人や帰る人などにより通信が増加することが考えられる。そのため、基地局装置１Ｃの近隣の基地局装置１Ｂ及び１Ｆなどでも通信が増加することが考えられる。
【００１９】
このような状況において、本実施例に係る無線アクセスシステムは、事象の発生を考慮してＤＲＸパラメータを調整することで間欠受信の設定を適切な状態にし、基地局装置の負荷を抑えながら効果的に省電力化を行う。そこで、以下本実施例に係る無線アクセスシステムの詳細について説明する。以下では、基地局装置１Ａ〜１Ｊのそれぞれを区別しない場合、単に「基地局装置１」という。
【００２０】
図２は、実施例１に係る無線アクセスシステムの構成図である。本実施例に係る無線アクセスシステム１００は、基地局装置１及びＥＭＳ（Element  Management  System）２を有する。ＥＭＳ２は、ネットワークを介して複数の基地局装置１と接続する。そして、ＥＭＳ２は、接続する基地局装置１を管理する。
【００２１】
基地局装置１は、ＤＲＸパラメータ制御部１０、ベースバンド処理部１１、無線通信部１２及び通信情報管理部１３を有する。
【００２２】
ＤＲＸパラメータ制御部１０は、イベントが発生していない状態では通信状態を基にＤＲＸパラメータを決定する。そして、ＤＲＸパラメータ制御部１０は、決定したＤＲＸパラメータを無線制御部１２へ通知する。
【００２３】
また、イベントが発生した場合、ＤＲＸパラメータ制御部１０は、イベントが発生したことに起因する通信に対応するためのＤＲＸパラメータ（以下では、「イベント用ＤＲＸパラメータ」という。）をイベント通知サーバ２０から受信する。そして、ＤＲＸパラメータ制御部１０は、イベント用ＤＲＸパラメータを無線制御部１２へ通知する。これにより、ＤＲＸパラメータ制御部１０は、ＵＥ３における間欠受信の設定を制御する。ＤＲＸパラメータ制御部１０については後で詳細に説明する。このイベントが、「特定事象」の一例にあたる。
【００２４】
ベースバンド処理部１１は、コアネットワークから受信した信号に対して符号化処理及び変調処理を施す。そして、ベースバンド処理部１１は、各処理を施した信号を無線通信部１２へ送信する。
【００２５】
また、ベースバンド処理部１１は、無線通信部１２から受信した信号に対して復調処理及び復号化処理を施す。そして、ベースバンド処理部１１は、各処理を施した信号をコアネットワークへ送信する。
【００２６】
さらに、ベースバンド処理部１１は、配下のＵＥ３の受信信号の信号強度を測定する。さらに、ベースバンド処理部１１は、配下のＵＥ３から送信信号の信号強度を受信する。そして、ベースバンド処理部１１は、受信信号及び送信信号の信号強度から通信状態を判定し、ＵＥ３のハンドオーバの制御を行う。
【００２７】
また、ベースバンド処理部１１は、受信信号の信号強度及び送信信号の信号強度を通信情報管理部１３へ送信する。さらに、ベースバンド処理部１１は、呼の状態、ハンドオーバの情報及びトラフィック量を通信情報管理部１３へ送信する。
【００２８】
無線通信部１２は、ＵＥ３から信号を受信する。そして、無線通信部１２は、ＵＥ３から受信した信号をＡＤ（Analog  to  Digital）変換する。さらに無線通信部１２は、ＡＤ変換した信号に対して周波数変換を行い、ベースバンド信号を生成する。そして、無線通信部１２は、生成したベースバンド信号をベースバンド処理部１１へ送信する。
【００２９】
また、無線通信部１２は、ベースバンド処理部１１から信号を受信する。そして、無線通信部１２は、ベースバンド処理部１１から受信した信号をＤＡ（Digital  to  Analog）変換する。さらに無線通信部１２は、ＤＡ変換した信号に対して周波数変換を行い、無線信号を生成する。そして、無線通信部１２は、生成した無線信号をＵＥ３へ送信する。
【００３０】
さらに、無線通信部１２は、ＤＲＸパラメータ制御部１０によって決定されたＤＲＸパラメータの入力を受ける。そして、無線通信部１２は、受信したＤＲＸパラメータをＵＥ３へ送信する。これにより、無線通信部１２は、指定した設定でＵＥ３に間欠受信を行わせる。
【００３１】
通信情報管理部１３は、受信信号及び送信信号の信号強度、呼の状態、ハンドオーバの情報、並びに、トラフィック量をベースバンド処理部１１から取得する。そして、通信情報管理部１３は、例えば、各ＵＥ３における発着信の成功数及び失敗数、呼切断数、ハンドオーバの成功数及び失敗数、並びに、トラフィック量を求める。そして、通信情報管理部１３は、各ＵＥ３における発着信の成功数及び失敗数、呼切断数、ハンドオーバの成功数及び失敗数、並びに、トラフィック量をセル統計データ収集部２１へ送信する。また、通信情報管理部１３は、例えば、送信電力、受信電力を及び干渉信号レベルなどを無線トレース部２２へ送信する。
【００３２】
ＥＭＳ２は、イベント通知サーバ２０、セル統計データ収集部２１、無線トレース部２２、基地局パラメータ設定部２３、基地局制御部２４及び基地局情報管理部２５を有する。
【００３３】
イベント通知サーバ２０は、ＤＲＸパラメータ制御部１０から基地局装置１における通信の負荷を表す負荷情報を受信する。イベント通知サーバ２０は、負荷情報を配下の基地局装置１の全てから受信する。
【００３４】
そして、イベント通知サーバ２０は、受信した負荷情報を用いて、イベントが発生したか否かを判定する。また、イベント通知サーバ２０は、外部装置から受信したグローバルデータの情報からイベントが発生したか否かを判定する。そして、イベントが発生した場合、イベント通知サーバ２０は、イベントの種別及びイベントの影響規模を特定する。さらに、イベント通知サーバ２０は、イベント用ＤＲＸパラメータの適用範囲及び適用時間を特定する。そして、イベント通知サーバ２０は、イベント用ＤＲＸパラメータ、適用範囲及び適用時間をＤＲＸパラメータ制御部１０へ送信する。イベント通知サーバ２０については後で詳細に説明する。
【００３５】
セル統計データ収集部２１は、発着信の成功数及び失敗数、呼切断数、ハンドオーバの成功数及び失敗数、並びに、トラフィック量を通信情報管理部１３から受信する。そして、セル統計データ収集部２１は、各ＵＥ３と基地局装置１との間の通信状態を統計的に把握する。その後、セル統計データ収集部２１は、求めた各ＵＥ３と基地局装置１との間の通信状態を基地局パラメータ設定部２３へ送信する。
【００３６】
無線トレース部２２は、送信電力、受信電力を及び干渉信号レベルを通信情報管理部１３から受信する。そして、無線トレース部２２は、無線区間の品質データを取得する。その後、無線トレース部２２は、取得した無線区間の品質データを基地局パラメータ設定部２３へ送信する。
【００３７】
基地局パラメータ設定部２３は、各ＵＥ３と基地局装置１との間の通信状態をセル統計データ収集部２１から受信する。また、基地局パラメータ設定部２３は、無線区間の品質データを無線トレース部２２から受信する。そして、基地局パラメータ設定部２３は、各ＵＥ３と基地局装置１との間の通信状態及び無線区間の品質データからエリア品質を最適にするように各基地局装置１のハンドオーバのパラメータなどの通信パラメータを決定する。そして、決定した通信パラメータを各基地局装置１のベースバンド処理部１１へ送信する。
【００３８】
基地局制御部２４は、輻輳時の呼規制制御や基地局装置１のメンテナンスのための閉塞制御などを決定し、ベースバンド処理部１１に指示する。
【００３９】
基地局情報管理部２５は、ＥＭＳ２が管理する基地局装置１のトポロジ情報及び位置情報を格納する。例えば、基地局情報管理部２５は、ＥＭＳ２が管理する基地局装置１のトポロジ情報の入力を予め管理者から受けて記憶する。また、基地局情報管理部２５は、基地局装置１の設定時に位置情報の入力を管理者から受けて記憶する。
【００４０】
次に、図３を参照して、ＤＲＸパラメータ制御部１０及びイベント通知サーバ２０によるＤＲＸパラメータ制御について詳細に説明する。図３は、実施例１に係るＤＲＸパラメータ制御部及びイベント通知サーバの詳細を表すブロック図である。
【００４１】
ＤＲＸパラメータ制御部１０は、図３に示すように、負荷情報計測部１０１、イベント情報管理部１０２及びパラメータ制御部１０３を有する。
【００４２】
負荷情報計測部１０１は、基地局装置１のセル内に在圏する配下のＵＥ３の数（以下では、「ＵＥ接続数」という。）及び基地局装置１と配下のＵＥ３と間の通信量（以下では、単に「通信量」という。）を負荷情報として収集する。そして、負荷情報計測部１０１は、一定時間毎に収集した負荷情報を集計し、イベント情報管理部１０２へ送信する。
【００４３】
イベント情報管理部１０２は、ＵＥ接続数及び通信量を負荷情報計測部１０１から一定時間毎に受信する。そして、イベント情報管理部１０２は、ＵＥ接続数及び通信量を一定時間間隔でイベント通知サーバ２０の通信制御部２０１へ送信する。
【００４４】
ここで、本実施例では、負荷情報としてＰｅｒｆｏｒｍａｎｃｅ  Ｍａｎａｇｅｍｅｎｔで定められている通信量及びＵＥ接続数を用いるが、この他にもＰｅｒｆｏｒｍａｎｃｅ  Ｍａｎａｇｅｍｅｎｔで定められている情報であれば他の情報を利用してもよい。このように、Ｐｅｆｏｒｍａｎｃｅ  Ｍａｎａｇｅｍｅｎｔで定められた情報を付加情報として用いることで、基地局装置１に大きな変更を加えることなく、イベント情報管理部１０２は、負荷情報を送信することができる。なお、Ｐｅｒｆｏｒｍａｎｃｅ  Ｍａｎａｇｅｍｅｎｔでは、最小粒度が５分と定められている。そのため、例えば、イベント情報管理部１０２は、５分間隔で負荷情報を送信することができる。
【００４５】
イベント情報管理部１０２は、基地局装置１のセル内で発生したイベントに対するイベント情報を後述するイベント通知サーバ２０の通信制御部２０１から受信する。イベント情報には、例えば、イベント用ＤＲＸパラメータ及び適用時間が含まれる。そして、イベント情報管理部１０２は、受信したイベント情報をパラメータ制御部１０３へ送信する。
【００４６】
また、イベント情報管理部１０２は、イベント終了の通知を通信制御部２０１から受信する。そして、イベント情報管理部１０２は、イベント用ＤＲＸパラメータの設定解除をパラメータ制御部１０３へ通知する。
【００４７】
パラメータ制御部１０３は、イベントが発生していない場合、予め決められた通常のＤＲＸパラメータを設定するようにＵＥ３に指示する。具体的には、パラメータ制御部１０３は、ＲＲＣ（Radio  Resource  Control）  Ｃｏｎｎｅｃｔｉｏｎ  Ｒｅｃｏｎｆｉｇｕｒａｔｉｏｎ  メッセージを使用してＵＥ３にＤＲＸパラメータを通知する。
【００４８】
ここで、図４を参照して、ＤＲＸパラメータについて説明する。図４は、ＤＲＸパラメータを説明するための図である。図４は、横軸で時間の経過を表す。
【００４９】
ＤＲＸパラメータには、オン継続タイマ（On-duration  Timer）Ｔ１、ショートＤＲＸ周期（shortDRX-Cycle）Ｔ２、ＤＲＸショート周期タイマ（drx  Short  Cycle  Timer）Ｔ３及びロングＤＲＸ周期（LongDRX-Cycle）Ｔ４が存在する。また、ＤＲＸパラメータには、ＤＲＸ非アクティブタイマ（drx-inactivity  Timer）Ｔ５が存在する。さらに、ＤＲＸパラメータには、ＨＡＲＱ  ＲＴＴ（Hybrid  Automatic  Repeat  Request  Round  Trip  Time）タイマ（HARQ  RTT  Timer）Ｔ６及びＤＲＸ再送タイマ（drx-retransmission  Timer）Ｔ７が存在する。
【００５０】
オン継続タイマＴ１は、ＤＲＸのスリープ期間から起動した後にＰＤＣＣＨ（Physical  Downlink  Control  Channel）を監視する時間である。また、ショートＤＲＸ周期Ｔ２は、周期が短い場合の隣接する２つのオン時間の間隔である。また、ロングＤＲＸ周期Ｔ４は、周期が長い場合の隣接する２つのオン時間の間隔である。また、ＤＲＸショート周期タイマＴ３は、短いＤＲＸ周期から長いＤＲＸ周期への変更を決定するための時間である。ＤＲＸショート周期タイマＴ３の間にデータの送受信が行われない場合、ＤＲＸ周期がショートＤＲＸ周期Ｔ２からロングＤＲＸ周期Ｔ４へ変更される。また、ＤＲＸ非アクティブタイマＴ５は、データ転送が確認された際のＰＤＣＣＨ監視を延長する時間である。また、ＨＡＲＱ  ＲＴＴタイマＴ６は、ＨＡＲＱ再送が行われるまでの時間である。また、ＤＲＸ再送タイマＴ７は、ＨＡＲＱ  ＲＴＴタイマＴ６満了時に起動する再送を待つ時間である。
【００５１】
ここで、ショートＤＲＸ周期Ｔ２は、ショートＤＲＸ周期Ｔ２を所定の整数倍することでロングＤＲＸ周期Ｔ４の値を取るように設定される。すなわち、パラメータ制御部１０３がロングＤＲＸ周期Ｔ４の値をＵＥ３に送信すれば、ＵＥ３は、ショートＤＲＸ周期Ｔ２を算出できる。
【００５２】
パラメータ制御部１０３は、上述したＤＲＸパラメータの設定の変更をＵＥ３に指示することで、ＵＥ３の間欠受信の設定を変更させることができる。
【００５３】
図３に戻って説明を続ける。パラメータ制御部１０３は、イベント用ＤＲＸパラメータ及び適用時間をイベント情報管理部１０２から受信する。そして、パラメータ制御部１０３は、イベント用ＤＲＸパラメータを設定するようにＵＥ３に指示する。その後、パラメータ制御部１０３は、適用時間が経過するまで待機する。適用時間が経過する前に、イベント用ＤＲＸパラメータの設定解除の通知をイベント情報管理部１０２から受けた場合又は適用時間が経過した場合、パラメータ制御部１０３は、通常のＤＲＸパラメータを設定するようにＵＥ３に指示する。このパラメータ制御部１０３が、「設定制御部」の一例にあたる。
【００５４】
次に、イベント通知サーバ２０について説明する。イベント通知サーバ２０は、通信制御部２０１、負荷情報管理部２０２、イベント発生判定部２０３及びグローバル情報取得部２０４を有する。
【００５５】
通信制御部２０１は、通信量及びＵＥ接続数を各基地局装置１のＤＲＸパラメータ制御部１０から一定時間毎に受信する。通信制御部２０１は、受信した通信量及びＵＥ接続数を負荷情報管理部２０２へ送信する。
【００５６】
また、通信制御部２０１は、イベント発生判定部２０３によりイベントが発生したと判定された場合、各基地局装置１に対して適用するイベント用ＤＲＸパラメータ、適用範囲及び適用時間をイベント発生判定部２０３から受信する。次に、通信制御部２０１は、適用範囲で指定された各基地局装置１に対して、適用するイベント用ＤＲＸパラメータ及び適用時間を、ＲＲＣ  Ｃｏｎｎｅｃｔｉｏｎ  Ｒｅｃｏｎｆｉｇｕｒａｔｉｏｎ  メッセージを使用してＤＲＸパラメータ制御部１０へ送信する。
【００５７】
その後、イベントが終了したとイベント発生判定部２０３により判定された場合、通信制御部２０１は、イベントの終了の通知をイベント発生判定部２０３から受信する。そして、通信制御部２０１は、イベントの終了の通知をＤＲＸパラメータ制御部１０へ送信する。この通信制御部２０１が、「設定指示部」の一例にあたる。
【００５８】
負荷情報管理部２０２は、各基地局装置１からの負荷情報である通信量及びＵＥ接続数を通信制御部２０１から受信する。そして、負荷情報管理部２０２は、基地局装置１毎に通信量及びＵＥ接続数を格納する。
【００５９】
グローバル情報取得部２０４は、例えばインターネットを介して外部装置４からグローバルデータを取得する。グローバル情報取得部２０４は、取得したグローバルデータをイベント発生判定部２０３に送信する。
【００６０】
グローバルデータとは、公共情報であり、例えば、交通機関の運行情報、天気の情報又は災害情報などである。グローバル情報取得部２０４は、例えば情報提供サービスと契約し、情報提供サービスからグローバルデータを受信することができる。また、グローバル情報取得部２０４は、ウェブページからグローバルデータを取得することもできる。
【００６１】
イベント発生判定部２０３は、通信量及びＵＥ接続数を負荷情報管理部２０２から取得する。また、イベント発生判定部２０３は、グローバルデータをグローバル情報取得部２０４から受信する。
【００６２】
イベント発生判定部２０３は、現在の通信量と直前の通信量との変化率を求める。また、イベント発生判定部２０３は、現在のＵＥ接続数と直前のＵＥ接続数との変化率を求める。具体的には、イベント発生判定部２０３は、［｛（現在の負荷）−（直前の負荷）｝／（直前の負荷）］×１００の式を用いることにより変化率を求めることができる。
【００６３】
そして、イベント発生判定部２０３は、現在の通信量と直前の通信量との変化率及び現在のＵＥ接続数と直前のＵＥ接続数との変化率が所定の発生判定閾値以上の場合、イベントが発生したと判定する。
【００６４】
また、イベント発生判定部２０３は、今までに取得した通信量及びＵＥ接続数から、過去の同曜日の同時刻における平均通信量及び平均ＵＥ接続数を予め算出しておく。そして、イベント発生判定部２０３は、現在の通信量と過去の平均通信量との変化率を求める。また、イベント発生判定部２０３は、現在のＵＥ接続数と過去の平均ＵＥ接続数との変化率を求める。具体的には、イベント発生判定部２０３は、［｛（現在の負荷）−（過去の同曜日且つ同時刻における平均負荷）｝／（過去の同曜日且つ同時刻における平均負荷）］×１００の式を用いることにより変化率を求めることができる。
【００６５】
そして、イベント発生判定部２０３は、現在の通信量と過去の同曜日の同時刻における平均通信量との変化率及び現在のＵＥ接続数と過去の同曜日の同時刻における平均ＵＥ接続数の変化率が所定の発生判定閾値以上の場合、イベントが発生したと判定する。
【００６６】
さらに、イベント発生判定部２０３は、グローバル情報取得部２０４からグローバルデータを受信した場合、イベントが発生したと判定する。
【００６７】
ここで、イベント発生判定部２０３は、現在の負荷量と直前の負荷量との変化率を基にイベントの発生を判定することで、急激に負荷量が変化するイベントの発生を検出することができる。また、イベント発生判定部２０３は、現在の負荷量と過去の平均負荷量との変化率を基にイベントの発生を判定することで、穏やかに負荷量が変化するイベントの発生を検出することができる。また、イベント発生判定部２０３は、グローバルデータを用いてイベントの発生を判定することで、正確にイベントの発生を判定することができる。ただし、グローバルデータを用いて発生が判定可能なイベントは、グローバルデータが提供されるイベントに限られるため、イベント発生判定部２０３は、グローバルデータと負荷量の変化率とを併用してイベントの発生を判定することが好ましい。以下では、イベントが発生したと判定された基地局装置１を「イベント発生の基地局装置１」という。
【００６８】
イベントが発生したと判定した場合、次に、イベント発生判定部２０３は、以下の手順でイベント用ＤＲＸパラメータ、適用範囲及び適用時間の決定を行う。まず、イベント発生判定部２０３は、各基地局装置１の通信量及びＵＥ接続数を負荷情報管理部２０２から再度取得する。これは、より新しい情報を用いることで、イベント発生判定部２０３が、イベント用ＤＲＸパラメータ、適用範囲及び適用時間をより正確に決定できるからである。ただし、正確さよりも処理の軽減やスピードを重視する場合、イベント発生判定部２０３は、イベント用ＤＲＸパラメータ、適用範囲及び適用時間の決定に、既に取得した負荷情報を用いてもよい。
【００６９】
まず、イベント発生判定部２０３は、基地局装置１のトポロジ情報を基地局情報管理部２５から取得する。そして、イベント発生判定部２０３は、取得したトポロジ情報を用いてイベント発生の基地局装置１の周りの予め決められた範囲の基地局装置１を特定する。ここで、予め決められた範囲の基地局装置１とは、例えば、イベント発生の基地局装置１から所定の距離（例えば、数キロ圏内）にある基地局装置１である。
【００７０】
次に、イベント発生判定部２０３は、イベント発生の基地局装置１の周りの予め決められた範囲の基地局装置１の通信量の変化率及びＵＥ接続数の変化率の情報を取得する。そして、イベント発生判定部２０３は、通信量の変化率及びＵＥ接続数の変化率が予め決められた規模判定閾値以上の基地局装置を含む範囲をイベント規模とする。イベント規模は、例えば面積や距離などで表すことができる。また、規模判定閾値は、イベントの影響を受けて変化率に影響が出たと判定できる値であればよく、発生判定閾値に比べて小さな値である。
【００７１】
次に、イベント発生判定部２０３は、イベント発生の基地局装置１の近隣の基地局装置１（以下では、単に「近隣の基地局装置１」という。）を特定する。ここで、近隣の基地局装置１とは、予め決められた範囲の基地局装置１であり、例えば、イベント発生の基地局装置１に隣り合う基地局装置１もしくはさらにその隣の基地局装置１を含めた基地局装置１を指す。近隣の基地局装置１の範囲は、イベント規模を判定する場合のイベント発生の基地局装置１の周りの予め決められた範囲より小さいことが好ましい。
【００７２】
そして、イベント発生判定部２０３は、近隣の基地局装置１の通信量の変化率及びＵＥ接続数の変化率の情報を取得する。具体的には、イベント発生判定部２０３は、特定した近隣の基地局装置１の通信量の変化率及びＵＥ接続数の変化率の平均を算出し、その算出した値を近隣の基地局装置１の通信量の変化率及びＵＥ接続数の変化率とする。
【００７３】
ここで、イベント発生判定部２０３は、図５に示すようなイベント種別表３０１を有する。図５は、イベント種別表の一例を表す図である。ＵＥ接続数の変化率３１１は、イベント発生の基地局装置１におけるＵＥ接続数の変化率を表す。通信量の変化率３１２は、イベント発生の基地局装置１における通信量の変化率を表す。近隣ｅＮＢのＵＥ接続数変化率３１３は、近隣の基地局装置１におけるＵＥ接続数の変化率を表す。近接ｅＮＢの通史量変化率３１４は、近隣の基地局装置１における通信量の変化率を表す。イベント発生判定部２０３は、イベント種別表３０１として、現在の負荷量と直前の負荷量との変化率を用いた表及び現在の負荷量と過去の平均負荷量との変化率を用いた表の２種類の表を有する。これにより、急激に負荷量が変化するイベント及び緩やかに負荷量が変化するイベントのどちらも特定することができる。また、負荷量を正規化して変化率として表すことで、イベント種別表３０１を、いずれの基地局装置１も使用することができる。
【００７４】
イベント発生判定部２０３は、イベント種別表３０１に記載されたいずれかのイベント種別における値に対して、取得した各値が所定の範囲内に収まる場合、そのイベント種別を発生したイベントのイベント種別とする。
【００７５】
さらに、イベント発生判定部２０３は、図６に示すイベント用ＤＲＸパラメータ表３０２を有する。図６は、イベント用ＤＲＸパラメータ表の一例の図である。イベント用ＤＲＸパラメータ表３０２には、各イベント種別のイベントが発生した場合に適用するＤＲＸパラメータが登録される。
【００７６】
イベント発生判定部２０３は、特定したイベント種別に対応するイベント用ＤＲＸパラメータをイベント用ＤＲＸパラメータ表３０２から取得する。
【００７７】
さらに、イベント発生判定部２０３は、図７Ａに示すイベント影響度表３０３及び図７Ｂに示す距離影響度表３０４を有する。図７Ａは、イベント影響度表の一例の図である。また、図７Ｂは、距離影響度表の一例を示す図である。イベント影響度表３０３は、あるイベントが発生した場合の各基地局装置１における影響度を表す。また、距離影響度表３０４は、ある基地局装置１でイベントが発生した場合の、その基地局装置１からの距離に対応する影響度である。
【００７８】
イベント発生判定部２０３は、基地局情報管理部２５から取得した基地局装置１のトポロジ情報から、イベント発生の基地局装置１の周囲の基地局装置１を、イベント用ＤＲＸパラメータの適用範囲の判定対象として特定する。ここで、イベント発生判定部２０３は、全ての基地局装置１を判定対象とすることもできるが、処理の簡略化のため、ある程度の範囲に判定対象を絞ることが好ましい。この範囲は、イベントの影響を受け得る範囲と処理の簡略化とのバランスから決定されることが好ましい。
【００７９】
次に、イベント発生判定部２０３は、判定対象とした各基地局装置１のイベント発生の基地局装置１からの距離を、基地局情報管理部２５が保持する各基地局装置１の位置情報から算出する。そして、イベント発生判定部２０３は、算出した距離から判定対象とした各基地局装置１おける距離影響度を距離影響度表３０４を用いて決定する。例えば、図１の基地局装置１Ｆでイベントが発生した場合、イベント発生判定部２０３は、図７Ｂに記載の距離影響度表３０４を用いて、基地局装置１Ａの距離影響度を４０％とし、基地局装置１Ｂの距離影響度を６０％とし、基地局装置１Ｃの距離影響度を８０％と決定する。
【００８０】
さらに、イベント発生判定部２０３は、判定対象とした各基地局装置１のイベント影響度をイベント影響度表３０３から取得する。そして、イベント発生判定部２０３は、例えば、各判定対象の基地局装置１に対して、イベント影響度、距離影響度及びイベント規模を乗算して、乗算結果が予め決められた適用閾値以上の場合、イベント用ＤＲＸパラメータを適用する基地局装置１とする。これにより、イベント発生判定部２０３は、イベント用ＤＲＸパラメータの適用範囲を決定する。
【００８１】
ここで、イベント影響度、距離影響度及びイベント規模を基に、イベント用ＤＲＸパラメータを適用する基地局装置１を決定する理由について説明する。まず、イベント発生源から遠ざかるにつれ、イベントの影響度は薄れる可能性が高い。そこで、イベント発生源からの距離を、各基地局装置１がイベントの影響をどの程度受けるかの判断材料にする。
【００８２】
また、イベントの種類により影響度の分布に特徴があることが考えられる。例えば、電車事故の場合、線路沿いにある基地局装置１における影響度が高いが、例え事故発生の基地局装置１の隣の基地局装置であっても、線路沿いでなければ影響度は低いと考えられる。そこで、イベント種別ごとの影響度を表すイベント影響度を、各基地局装置１がイベントの影響をどの程度受けるかの判断材料にする。
【００８３】
さらに、同一イベントであっても規模が大きいほどより広範囲の基地局装置１に対して影響を与える可能性が高い。例えば、渋滞は渋滞の長さ（規模）により影響範囲が変わると考えられる。そこで、イベント規模を、各基地局装置１がイベントの影響を受けるかの判断材料にする。
【００８４】
イベント発生判定部２０３の説明に戻る。イベント発生判定部２０３は、図８に示すような適用時間表３０５を有する。図８は、適用時間表の一例の図である。適用時間表３０５における差分１０〜３０は、イベント影響度、距離影響度及びイベント規模の乗結果と適用閾値との差分を表す。
【００８５】
イベント発生判定部２０３は、適用範囲内の各基地局装置１について、イベント影響度、距離影響度及びイベント規模の乗結果と適用閾値との差分を求める。そして、イベント発生判定部２０３は、発生したイベント種別及び算出した差分を用いて、適用時間表３０５から適用範囲内の各基地局装置１に対するイベント用ＤＲＸパラメータの適用時間を決定する。
【００８６】
そして、イベント発生判定部２０３は、イベント用ＤＲＸパラメータ、適用範囲及び基地局装置１毎の適用時間を通信制御部２０１へ通知する。このイベント発生判定部２０３が、「判定部」の一例にあたる。
【００８７】
ここで、図９を参照して、イベント発生時のＤＲＸパラメータの変化について説明する。図９は、イベントが発生した場合のＤＲＸパラメータの一例を表す図である。図９は、横軸で時間の経過を表す。図９の上段の図が通常時のＤＲＸパラメータを表し、図９の下段の図が電車事故発生時のＤＲＸパラメータを表す図である。ここでは、具体例として電車事故が発生した場合で説明する。
【００８８】
電車事故が発生した路線を利用する人と基地局装置１との間で路線情報が送受信されることが考えられる。しかし、これは一過性のものであり、電車事故が発生した路線を利用する人が、ダイヤが乱れたという情報を取得した後は、データの通信は頻繁には起こらないと考えらえる。また、時間帯（通勤時間など）によっては、電車が遅れたことにより駅構内に人があふれ、結果として多数のＵＥが駅を含むエリアに存在することになる。これらのことにより、電車事故が発生した場合、通信を完了したＵＥは素早く電源ＯＦＦの時間を増やせるようにショートＤＲＸ周期を短くすることが好ましい。そこで、以下のようにＤＲＸパラメータを変更する。
【００８９】
図９に示すように、イベント発生前は、ＤＲＸパラメータとして、オン継続時間Ｔ１１、ショートＤＲＸ周期Ｔ１２及びＤＲＸ非アクティブタイマＴ１３がＵＥ３に設定される。この状態で、電車事故が発生した場合、オン継続時間Ｔ１１及びＤＲＸ非アクティブタイマＴ１３はそのまま維持される。これに対して、ショートＤＲＸ周期Ｔ１２は、より短いショートＤＲＸ周期Ｔ２２に変更される。この場合、ＤＲＸショート周期タイマを短くしてもよい。
【００９０】
このように、ＤＲＸパラメータを変更することで、イベント発生時の特殊な環境下でも、最適な通信環境を提供しつつ最適なＤＲＸパラメータの値の設定が可能となる。また、この他にも、イベント発生時のＤＲＸパラメータの設定としては、緊急性が高いイベントの場合は、ＤＲＸパラメータを電源ＯＮ時間が増加するように設定することも可能である。
【００９１】
次に、図１０を参照して、実施例１に係る無線アクセスシステム１００におけるイベント用ＤＲＸパラメータ設定の処理の流れについて説明する。図１０は、実施例１に係る無線アクセスシステムにおけるイベント用ＤＲＸパラメータ設定の処理のフローチャートである。
【００９２】
イベント発生判定部２０３は、イベント判定の対象とする基地局装置１を選択する（ステップＳ１）。
【００９３】
次に、イベント発生判定部２０３は、選択した基地局装置１の負荷情報である通信量及びＵＥ接続数を負荷情報管理部２０２から取得する（ステップＳ２）。以下では、通信量及びＵＥ接続数をまとめて、「負荷」という。
【００９４】
次に、イベント発生判定部２０３は、グローバルデータをグローバル情報取得部２０４から取得する（ステップＳ３）。
【００９５】
次に、イベント発生判定部２０３は、現在の負荷と直前の負荷との変化率である直前負荷変化率を算出する（ステップＳ４）。そして、イベント発生判定部２０３は、直前負荷変化率が直前負荷閾値以上か否かを判定する場合（ステップＳ５）。直前負荷変化率が直前変化率閾値以上の場合（ステップＳ５：肯定）、イベント発生判定部２０３は、ステップＳ８へ進む。
【００９６】
これに対して、直前負荷変化率が直前変化率閾値未満の場合（ステップＳ５：否定）、イベント発生判定部２０３は、現在の負荷と過去の平均負荷との変化率である過去負荷変化率を算出する。そして、イベント発生判定部２０３は、過去負荷変化率が過去変化率閾値以上か否かを判定する（ステップＳ６）。過去負荷変化率が過去変化率閾値以上の場合（ステップＳ６：肯定）、イベント発生判定部２０３は、ステップＳ８へ進む。
【００９７】
これに対して、過去負荷変化率が過去変化率閾値未満の場合（ステップＳ６：否定）、イベント発生判定部２０３は、イベントの発生を通知するグローバルデータを受信したか否かを判定する（ステップＳ７）。グローバルデータを受信していない場合（ステップＳ７：否定）、イベント発生判定部２０３は、その基地局装置１のエリアではイベントが発生していないと判定して、ステップＳ１６へ進む。
【００９８】
これに対して、グローバルデータを受信した場合（ステップＳ７：肯定）、イベント発生判定部２０３は、ステップＳ８へ進む。
【００９９】
イベント発生判定部２０３は、各基地局装置１の通信量及びＵＥ接続数を負荷情報管理部２０２から再度取得する。そして、イベント発生判定部２０３は、イベント発生の基地局装置１の近隣の基地局装置１の負荷変化率を算出する（ステップＳ８）。
【０１００】
次に、イベント発生判定部２０３は、近隣の基地局装置１の負荷変化率からイベント規模を特定する。さらに、イベント発生判定部２０３は、イベント発生の基地局装置１の負荷変化率及び近隣の基地局装置１の負荷変化率を用いて、イベント種別表３０１から発生したイベントのイベント種別を特定する（ステップＳ９）。
【０１０１】
次に、イベント発生判定部２０３は、特定したイベント種別に対応するイベント用ＤＲＸパラメータをイベント用ＤＲＸパラメータ表３０２から取得する（ステップＳ１０）。
【０１０２】
次に、イベント発生判定部２０３は、イベント用ＤＲＸパラメータの適用範囲の判定対象とするイベント発生の基地局装置１を特定する。そして、イベント発生判定部２０３は、判定対象の各基地局装置１について、距離影響度を距離影響度表３０４から求める。さらに、イベント発生判定部２０３は、判定対象の各基地局装置１について、イベント影響度をイベント影響度表３０３から取得する。そして、イベント発生判定部２０３は、判定対象の基地局装置１の内、イベント影響度、距離影響度及びイベント規模の乗算結果が適用判定閾値以上となる基地局装置１をイベント用ＤＲＸパラメータの適用範囲として決定する（ステップＳ１１）。
【０１０３】
さらに、イベント発生判定部２０３は、適用範囲の各基地局装置１毎に、イベント影響度、距離影響度及びイベント規模の乗算結果と適用判定閾値との差分を求める。そして、イベント発生判定部２０３は、求めた差分を用いて適用時間表３０５から適用範囲の各基地局装置１に対するイベント用ＤＲＸパラメータの適用時間を決定する（ステップＳ１２）。
【０１０４】
次に、イベント発生判定部２０３は、適用範囲に含まれる基地局装置１を１つ選択する（ステップＳ１３）。そして、イベント発生判定部２０３は、選択した基地局装置１に対してイベント用ＤＲＸパラメータ及び適用時間を通知する（ステップＳ１４）。
【０１０５】
そして、イベント発生判定部２０３は、適用範囲内の全ての基地局装置１への通知が完了したか否かを判定する（ステップＳ１５）。通知していない基地局装置１が残っている場合（ステップＳ１５：否定）、イベント発生判定部２０３は、ステップＳ１３へ戻る。
【０１０６】
これに対して、全ての基地局装置１への通知が完了した場合（ステップＳ１５：肯定）、イベント発生判定部２０３は、全ての基地局装置１についてイベント発生の判定が完了したか否かを判定する（ステップＳ１６）。イベント発生の判定が完了していない基地局装置１が残っている場合（ステップＳ１６：否定）、イベント発生判定部２０３は、ステップＳ１へ戻る。これに対して、全ての基地局装置１についてイベント発生の判定が完了した場合（ステップＳ１６：肯定）、イベント発生判定部２０３は、イベント発生の判定処理を終了する。
【０１０７】
次に、図１１を参照して、イベント発生からＤＲＸパラメータが復帰するまでの処理の流れを説明する。図１１は、実施例１に係る無線アクセスシステムによるイベント発生からＤＲＸパラメータが復帰するまでの処理のシーケンス図である。ここでは、通信量及びＵＥ接続数をまとめて負荷として表現する。
【０１０８】
負荷情報計測部１０１は、基地局装置１とＵＥ３との間の通信を監視する（ステップＳ１０１）。そして、負荷情報計測部１０１は、負荷情報を計測する（ステップＳ１０２）。
【０１０９】
次に、負荷情報計測部１０１は、計測した負荷情報をイベント情報管理部１０２へ送信する（ステップＳ１０３）。
【０１１０】
イベント情報管理部１０２は、負荷情報を負荷情報計測部１０１から受信する。そして、イベント情報管理部１０２は、一定時間毎に負荷情報をイベント通知サーバ２０へ送信する（ステップＳ１０４）。
【０１１１】
イベント通知サーバ２０は、負荷情報を一定期間毎にイベント情報管理部１０２から取得する。そして、イベント通知サーバ２０は、取得した負荷情報から基地局装置１におけるイベント発生判定を行う（ステップＳ１０５）。この場合、イベントが発生したものとして説明する。イベント通知サーバ２０は、イベント発生判定において、イベント用ＤＲＸパラメータ及び適用時間を求める。
【０１１２】
イベント通知サーバ２０は、イベント用ＤＲＸパラメータ及び適用時間をイベント情報管理部１０２に通知する（ステップＳ１０６）。
【０１１３】
イベント情報管理部１０２は、イベント用ＤＲＸパラメータ及び適用時間をパラメータ制御部１０３へ通知する（ステップＳ１０７）。
【０１１４】
パラメータ制御部１０３は、イベント用ＤＲＸパラメータ及び適用時間の通知をイベント情報管理部１０２から受けると、予め決められたＤＲＸパラメータの設定を指示する通常時の運用を停止する（ステップＳ１０８）。そして、パラメータ制御部１０３は、イベント用ＤＲＸパラメータの設定をＵＥ３に指示する（ステップＳ１０９）。ＵＥ３は、イベント用ＤＲＸパラメータを用いて間欠受信を行う。
【０１１５】
イベント通知サーバ２０は、変化率の動向を基にイベント終了判定を行う（ステップＳ１１０）。そして、通知サーバ２０は、イベントの終了をパラメータ制御部１０３へ通知する（ステップＳ１１１）。パラメータ制御部１０３は、イベントの終了の通知を受けると、適用時間の経過を待たずにステップＳ１１３へ進む。ただし、点線で囲われた部分の処理は、イベントが終了したとイベント通知サーバ２０が判定した場合の処理であり、イベントが終了しない場合には、点線内の処理は実行されない。
【０１１６】
パラメータ制御部１０３は、イベントの終了判定の通知を受けない場合、適用時間が経過するまで待機する（ステップＳ１１２）。
【０１１７】
イベント終了通知を受信した場合又は適用時間が経過した場合、パラメータ制御部１０３は、通常時の運用を再開する（ステップＳ１１３）。そして、パラメータ制御部１０３は、予め決められたＤＲＸパラメータをＵＥ３へ送信する（ステップＳ１１４）。
【０１１８】
次に、図１２を参照して、イベント通知サーバ２０によるイベント発生判定処理の流れについてさらに説明する。図１２は、イベント通知サーバによるイベント発生判定処理のシーケンス図である。図１２のシーケンス図は、図１１のステップＳ１０５の処理の一例にあたる。
【０１１９】
通信制御部２０１は、基地局装置１から受信したＵＥ３毎の負荷情報を負荷情報管理部２０２に送信する（ステップＳ２０１）。負荷情報管理部２０２は、受信した負荷情報を格納する。そして、イベント発生判定部２０３は、負荷情報管理部２０２から負荷情報を取得する（ステップＳ２０３）。
【０１２０】
また、グローバル情報取得部２０４は、イベント発生を通知するグローバルデータを外部装置４から取得する（ステップＳ２０４）。そして、イベント発生判定部２０３は、グローバルデータをグローバル情報取得部２０４から取得する（ステップＳ２０５）。
【０１２１】
次に、イベント発生判定部２０３は、直前負荷変化率を算出する。そして、イベント発生判定部２０３は、直前負荷変化率が直前負荷閾値以上か否かを判定する場合（ステップＳ２０６）。直前負荷変化率が直前変化率閾値以上の場合（ステップＳ２０６：肯定）、イベント発生判定部２０３は、イベントが発生したと判定し、ステップＳ２０８以降へ進む。
【０１２２】
これに対して、直前負荷変化率が直前変化率閾値未満の場合（ステップＳ２０６：否定）、イベント発生判定部２０３は、過去負荷変化率を算出する。そして、イベント発生判定部２０３は、過去負荷変化率が過去変化率閾値以上か否かを判定する（ステップＳ２０７）。過去負荷変化率が過去変化率閾値以上の場合（ステップＳ２０７：肯定）、イベント発生判定部２０３は、イベントが発生したと判定し、ステップＳ２０８以降へ進む。
【０１２３】
これに対して、過去負荷変化率が過去変化率閾値未満の場合（ステップＳ２０７：否定）、イベント発生判定部２０３は、イベントの発生を通知するグローバルデータを受信したか否かを判定する（ステップＳ２０８）。グローバルデータを受信していない場合（ステップＳ２０８：否定）、イベント発生判定部２０３は、その基地局装置１のエリアではイベントが発生していないと判定して、イベント発生判定処理を終了する。
【０１２４】
これに対して、グローバルデータを受信した場合（ステップＳ２０８：肯定）、イベント発生判定部２０３は、イベントが発生したと判定し、ステップＳ２０８以降へ進む。
【０１２５】
負荷情報管理部２０２は、負荷情報を通信制御部２０１から受信する（ステップＳ２０９）。
【０１２６】
イベント発生判定部２０３は、取得した負荷情報の中からイベント発生の基地局装置及び周辺の基地局装置１の負荷情報を負荷情報管理部２０２から取得する（ステップＳ２１０）。
【０１２７】
次に、イベント発生判定部２０３は、取得した負荷情報を用いてイベント種別表３０１からイベント種別を判定する（ステップＳ２１１）。
【０１２８】
次に、イベント発生判定部２０３は、イベント種別を用いてイベント用ＤＲＸパラメータ表３０２からイベント用ＤＲＸパラメータを決定する。さらに、イベント発生判定部２０３は、イベント影響度表３０３及び距離影響度表３０４を用いて適用範囲及び適用時間を決定する。そして、イベント発生判定部２０３は、イベント用ＤＲＸパラメータ、適用時間及び適用範囲を負荷情報管理部２０２へ通知する（ステップＳ２１２）。
【０１２９】
負荷情報管理部２０２は、イベント用ＤＲＸパラメータ、適用時間及び適用範囲を通信制御部２０１へ通知する（ステップＳ２１３）。その後、通信制御部２０１は、イベント用ＤＲＸパラメータ、適用時間及び適用範囲を基地局装置１のＤＲＸパラメータ制御部１０へ通知する。
【０１３０】
以上に説明したように、本実施例に係る無線アクセスシステムは、各基地局装置における通信負荷の変化からイベントの発生を検出し、検出したイベントに応じて、そのイベントが影響を与える範囲及び適用時間を求める。そして、無線アクセスシステムは、イベントの種別に応じたＤＲＸパラメータを決定した範囲内の基地局装置に、適用時間だけ適用させる。これにより、イベントが発生した場合に、イベントの発生により影響を受けるであろうＵＥの間欠受信の間隔を発生したイベントに応じて変化させることができ、基地局装置の負荷を抑えながら効果的に省電力化を行うことができる。
【０１３１】
さらに、複数の基地局装置からの負荷情報を利用することで、イベントの発生を素早く判断できる。そして、今後イベントの影響が発生すると予測される基地局装置に対してイベントに適したＤＲＸパラメータを事前に通知することにより、負荷傾向が変化するタイミングで最適なＤＲＸパラメータへの変更が可能となる。また、複数の基地局装置からの負荷情報を用いることで、イベント規模を見積もることが可能となる。さらに、複数の基地局装置からの負荷情報に加えてグローバル情報を利用することで、イベント種別の判断の確度を向上させることができる。
【０１３２】
ここで、各種イベントに対する具体的なイベント用ＤＲＸパラメータの設定及びイベントに関する判定について説明する。
【０１３３】
例えば、電車事故の場合、電車事故発生時はダイヤの乱れが起こり、運行状況をユーザに対して通知するサービスが提供されるため、通信が増加することが考えられる。ただし、利用者に対して一度電車の運行状況の提供が行われれば、それ以降その利用者に対する通知はそれほど発生しない。そのため、この通信増加は一過性の高いものだといえる。そこで、事故発生直後に間欠受信における受信期間の割合を増加させ、その後は受信期間の割合をある程度低下させてもよい。また、電車事故は同じ線を利用する他の利用者にも影響を与えるので、イベントの影響が同じ路線上にある基地局装置にも波及していくものと考えられる。そのため、複数の基地局装置においてイベント検出をすることでより正確にイベントの影響範囲などを特定することができる。
【０１３４】
また、災害情報の場合、災害情報は緊急性が高く、且つ周期性が高いと考えられる。すなわち、災害発生時にはすぐに情報を伝達することが好ましく、また、災害発生後は災害状況の変化を定期的に通知することが考えられる。また、災害状態に変化があった場合にすぐに連絡可能な状況であることが好ましい。そのため、災害発生時には、間欠受信における受信期間の割合を長時間に亘って増加させておくことが好ましい。さらに、災害情報は緊急性が高いので、災害発生地点の周囲の基地局装置の通信エリアにいる利用者に対しても情報を通知することが好ましい。そこで、イベント用ＤＲＸパラメータの適用範囲を求めて、その範囲内の基地局装置に対して、間欠受信における受信期間の割合の増加を指示することで、災害情報の通知を確実に行うことができるようになる。
【０１３５】
さらに、お祭りの場合、お祭りでは周囲の人々に、イベントの開催の通知や、クーポンや画情報などを付加して伝えることが考えられる。そのため、お祭りは周期性が高く且つ転送されるデータ量が多いイベントと考えられる。そこで、お祭りの場合、周期的に間欠受信の受信期間の割合を大きく増加させることが好ましい。また、お祭りは、お祭りを開催している地域だけでなく、周囲の集客を目的として広い地域で通信が発生する可能性がある。そのため、複数の基地局装置によるイベント検出によって、発生する通信に対応するようにＤＲＸパラメータを設定することで、適切な通信環境を確立することができる。
【実施例２】
【０１３６】
図１３は、実施例２に係るＤＲＸパラメータ制御部及びイベント通知サーバの詳細を表すブロック図である。本実施例に係るＤＲＸパラメータ制御部１０は、イベントが発生していない状態で、過去の統計に基づいてＤＲＸパラメータを決定することが実施例１と異なる。本実施例に係るＤＲＸパラメータ制御部１０は、実施例１の各部に加え情報管理部１０４を有する。以下では、実施例１と同様の機能を有する各部については説明を省略する。
【０１３７】
イベントが発生しない場合として事務所に基地局装置１が設置された場合を例に説明する。事務所に基地局装置１が設置された場合、お昼休みや就業時間後に利用頻度が高く、それ以外の就業時間中には利用頻度が低いといった傾向が見られる。このように、時間帯によって利用頻度が変化する場合、時間帯に合わせてＤＲＸパラメータを変更することで消費電力を抑えることができる。
【０１３８】
そこで、図１４を参照して、時間帯に合わせたＤＲＸパラメータの決定方法を説明する。図１４は、時間帯に合わせたＤＲＸパラメータの決定方法を説明するための図である。
【０１３９】
情報管理部１０４は、パラメータ組み合わせタイプ毎に適用するＤＲＸパラメータが登録されたＤＲＸパラメータ表４０１を記憶する。さらに、情報管理部１０４は、パラメータ組み合わせタイプ毎にＵＥ接続数及び通信量が登録された適用種別表４０２を記憶する。
【０１４０】
また、情報管理部１０４は、負荷情報更新タイミングが到来すると、配下の各ＵＥ３の負荷情報計測部１０１から受信する。そして、情報管理部１０４は、曜日及び時間帯の組み合わせ毎に、負荷情報計測部１０１から受信したＵＥ接続数及び通信量の平均を求める。そして、情報管理部１０４は、求めた各曜日の時間帯毎の負荷情報表４０３を作成する。
【０１４１】
そして、情報管理部１０４は、各曜日の時間帯毎のＵＥ接続数及び通信量を負荷情報表４０３から取得する。次に、情報管理部１０４は、各曜日の時間帯毎に、ＵＥ接続数及び通信量の類似度が高いＤＲＸパラメータのタイプを適用種別表４０２から取得する。そして、情報管理部１０４は、取得したＤＲＸパラメータのタイプをそれぞれの各曜日の時間帯毎に用いるＤＲＸパラメータのタイプとして決定する。そして、情報管理部１０４は、各曜日の時間帯毎に決定したＤＲＸパラメータのタイプを登録した適用パラメータ決定表４０４を生成する。
【０１４２】
パラメータ制御部１０３は、ＤＲＸパラメータの変更タイミングまで待機する。ここで、本実施例では、ＤＲＸパラメータの変更タイミングは、毎日の予め決められた時間帯の開始時刻である。そして、ＤＲＸパラメータの変更タイミングが到来すると、パラメータ制御部１０３は、情報管理部１０４が有する適用パラメータ決定表４０４を参照し、その曜日のその時間帯に対応するＤＲＸパラメータのタイプを取得する。さらに、パラメータ制御部１０３は、取得したＤＲＸパラメータのタイプに応じたＤＲＸパラメータをＤＲＸパラメータ表４０１から取得する。
【０１４３】
その後、パラメータ制御部１０３は、取得したＤＲＸパラメータの設定をＵＥ３へ指示する。これにより、ＵＥ３の間欠受信の設定が変更される。以下では、情報管理部１０４が有する情報を用いた時間帯毎のＤＲＸパラメータの設定を、統計情報を用いたＤＲＸパラメータ設定という。
【０１４４】
ただし、パラメータ制御部１０３は、イベントが発生しイベント情報管理部１０２からイベント用ＤＲＸパラメータを受信した場合、統計情報を用いたＤＲＸパラメータ設定を中止する。そして、パラメータ制御部１０３は、イベント用ＤＲＸパラメータの設定をＵＥ３に指示する。その後、イベント終了の通知を受信した場合又は適用時間が経過した場合、パラメータ制御部１０３は、統計情報を用いたＤＲＸパラメータ設定を再開する。
【０１４５】
ここで、図１５を参照して、統計情報を用いたＤＲＸパラメータの設定を行った場合のＤＲＸパラメータの一例について説明する。図１５は、統計情報を用いたＤＲＸパラメータの設定を行った場合のＤＲＸパラメータの一例を表す図である。図１５は、横軸で時間の経過を表す。図１５の上段の図は通信頻度が高い場合のＤＲＸパラメータを表し、図１５の下段の図は通信頻度が低い場合のＤＲＸパラメータを表す。ここでは、具体例として、基地局装置１が事務所に設置された場合で説明する。
【０１４６】
昼休みなどの通信量が増加する場合、上段の図のように、ショートＤＲＸ周期Ｔ２２は、利用頻度が低い場合に比べて短く設定される。また、ＤＲＸ非アクティブタイマＴ２３は、利用頻度が低い場合に比べて長く設定される。これにより、通信頻度が高い場合に、間欠受信を行う割合を増やし、適切な通信を行うことができるようになる。
【０１４７】
これに対して、就業時間中などの通信量が低下する場合、下段の図のように、オン継続時間Ｔ２４は、利用インドが高い場合のオン継続時間Ｔ２１に比べて短く設定される。また、ショートＤＲＸ周期Ｔ２５は、利用頻度が低い場合に比べて長く設定される。さらに、ＤＲＸ非アクティブタイマＴ２６は、利用頻度が高い場合に比べて短く設定される。これにより、通信頻度が低い場合に、間欠受信を行う割合を減らし、省電力化を図るようにする。
【０１４８】
次に、図１６を参照して、統計情報を用いたＤＲＸパラメータ設定の処理の流れについて説明する。図１６は、統計情報を用いたＤＲＸパラメータ設定の処理のフローチャートである。ここで、図１６のフローでは、イベントが発生しない場合を例に説明する。実際には、イベントが発生した場合は、このフローの処理を外れて、実施例１で説明したイベント用ＤＲＸパラメータの設定の処理に移行する。
【０１４９】
情報管理部１０４は、過去のＵＥ接続数及び通信量から各曜日の時間帯毎の接続数及び通信量を算出し、負荷情報表４０２を作成する（ステップＳ３０１）。
【０１５０】
次に、情報管理部１０４は、負荷情報表４０２及びイベント種別表４０３から適用パラメータ決定表４０４を作成する（ステップＳ３０２）。
【０１５１】
パラメータ制御部１０３は、次の変更タイミングが到来したか否かを判定する（ステップＳ３０３）。変更タイミングが到来していない場合（ステップＳ３０３：否定）、パラメータ制御部１０３は、次の変更タイミングが到来するまで待機する。
【０１５２】
これに対して、変更タイミングが到来した場合（ステップＳ３０３：肯定）、パラメータ制御部１０３は、適用パラメータ決定表４０４から適用するＤＲＸパラメータのタイプを取得する（ステップＳ３０４）。
【０１５３】
次に、パラメータ制御部１０３は、取得したＤＲＸパラメータタイプに対応するＤＲＸパラメータをＤＲＸパラメータ表４０１から特定する（ステップＳ３０５）。
【０１５４】
次に、パラメータ制御部１０３は、特定したＤＲＸパラメータをＵＥ３に通知する（ステップＳ３０６）。
【０１５５】
その後、情報管理部１０４は、ＤＲＸパラメータの更新タイミングが到来したか否かを判定する（ステップＳ３０７）。ＤＲＸパラメータの更新タイミングが到来した場合（ステップＳ３０７：肯定）、情報管理部１０４は、ステップＳ３０１へ戻る。
【０１５６】
これに対して、ＤＲＸパラメータの更新タイミングが到来していない場合（ステップＳ３０７：否定）、パラメータ制御部１０３は、ＤＲＸパラメータ制御部１０が動作を停止するか否かを判定する（ステップＳ３０８）。ここで、ＤＲＸパラメータ制御部１０が動作を停止する場合とは、例えば、操作者により基地局装置１の動作の停止が指示された場合などである。ＤＲＸパラメータ制御部１０の動作が継続する場合（ステップＳ３０８：否定）、パラメータ制御部１０３は、ステップＳ３０３へ戻る。
【０１５７】
これに対して、ＤＲＸパラメータ制御部１０が動作を停止する場合（ステップＳ３０８：肯定）、パラメータ制御部１０３は、パラメータ設定の処理を終了する。
【０１５８】
次に、図１７を参照して、実施例２に係る無線アクセスシステムにおけるＤＲＸパラメータ設定の処理の全体的な流れについて説明する。図１７は、実施例２に係る無線アクセスシステムにおけるＤＲＸパラメータ設定の処理のシーケンス図である。図１７では、統計情報を用いたＤＲＸパラメータの設定の実施中に、イベントが発生しその後適用時間が経過した場合で説明する。ここでは、図１６と同じ内容の処理については説明を簡略化する。また、ここでは、ＵＥ接続数及び通信量をまとめて負荷情報という。
【０１５９】
情報管理部１０４は、負荷情報を負荷情報計測部１０１から取得する（ステップＳ５０１）。情報管理部１０４は、負荷情報表４０２を作成する（ステップＳ５０２）。次に、情報管理部１０４は、適用パラメータ決定表４０４を作成する（ステップＳ５０３）。
【０１６０】
パラメータ制御部１０３は、変更タイミングが到来すると、情報管理部１０４に対して適用するＤＲＸパラメータのタイプを確認する（ステップＳ５０４）。そして、パラメータ制御部１０３は、ＤＲＸパラメータを情報管理部１０４から取得する（ステップＳ５０５）。パラメータ制御部１０３は、特定したＤＲＸパラメータをＵＥ３に通知する（ステップＳ５０６）。
【０１６１】
その後、イベント通知サーバ２０は、イベントが発生したと判定する（ステップＳ５０７）。そして、イベント通知サーバ２０は、イベント用ＤＲＸパラメータ及び適用時間をイベント情報管理部１０２に通知する（ステップＳ５０８）。パラメータ制御部１０３は、イベント用ＤＲＸパラメータ及び適用時間をイベント情報管理部１０２から取得する（ステップＳ５０９）。
【０１６２】
パラメータ制御部１０３は、統計情報を用いたＤＲＸパラメータの設定を休止する（ステップＳ５１０）。そして、パラメータ制御部１０３は、イベント用ＤＲＸパラメータをＵＥ３へ通知する（ステップＳ５１１）。
【０１６３】
その後、パラメータ制御部１０３は、適用時間が経過するまで待機する（ステップＳ５１２）。
【０１６４】
適用時間経過後、パラメータ制御部１０３は、統計情報を用いたＤＲＸパラメータの設定を再開する（ステップＳ５１３）。
【０１６５】
その後、パラメータ制御部１０３は、変更タイミングが到来すると、情報管理部１０４に対して適用するＤＲＸパラメータのタイプを確認する（ステップＳ５１４）。そして、パラメータ制御部１０３は、ＤＲＸパラメータを情報管理部１０４から取得する（ステップＳ５１５）。パラメータ制御部１０３は、特定したＤＲＸパラメータをＵＥ３に通知する（ステップＳ５１６）。
【０１６６】
その後、パラメータ制御部１０３は、ステップ５０１〜Ｓ５０６と同様の統計情報を用いたＤＲＸパラメータ設定の動作を行う（ステップＳ５１７）。
【０１６７】
以上に説明したように、本実施例に係る無線アクセスシステムは、統計情報に基づきＤＲＸパラメータを変更するので、通信に類似した傾向が見られる小セル環境において、効果的に省電力化を行うことができる。
【０１６８】
さらに、過去の統計情報に基づいてＤＲＸパラメータを変更することで、短いインターバルでの負荷差分の計算を省略でき、基地局装置の負荷を高めずに適切なＤＲＸパラメータの設定を行うことができる。特に、小セル化に伴い、セル圏内の利用者の利用傾向により特徴が見出しやすくなった状態においてより高い効果を得ることができる。
【０１６９】
また、実施例２の説明では、各曜日における時間帯毎に分けて統計情報を用いたＤＲＸパラメータ設定を行ったが、この区間の設定は周期的であれば特に制限はない。
【０１７０】
さらに、図１８〜２０を用いて、統計情報を用いたＤＲＸパラメータ設定とイベント用ＤＲＸパラメータの設定を組み合わせた場合の動作の概要をまとめて説明する。
【０１７１】
図１８は、統計情報を用いたＤＲＸパラメータ設定を行っている無線アクセスシステムの状態を表す図である。図１９は、電車事故が発生した場合の無線アクセスシステムの状態を表す図である。図２０は、電車事故が終了した場合の無線アクセスシステムの状態を表す図である。
【０１７２】
統計情報を用いたＤＲＸパラメータ設定を行っている場合、図１８に示すように、基地局装置１は、適用パラメータ表４０４などを用いて各曜日の時間帯毎にＤＲＸパラメータを変更する。そして、基地局装置１は、ＲＣＣ  Ｃｏｎｎｅｃｔｉｏｎ  Ｒｅｃｏｎｆｉｇｕｒａｔｉｏｎメッセージをオン継続時間中のＵＥ３に送り、ＤＲＸパラメータの変更を通知する。変更後のＤＲＸパラメータは、ＲＲＣ＿Ｃｏｎｎｅｃｔｅｄ状態でない、言い換えればＲＲＥ  ＩＤＬＥ状態のＵＥ３に対しては、ＲＲＣ  Ｃｏｎｎｅｃｔｉｏｎ  Ｓｅｔｕｐメッセージが送られたときに適用される。そして、ＵＥ３は、通知されたＤＲＸパラメータにしたがい間欠受信の動作を開始する。
【０１７３】
電車事故が発生した場合、図１９に示すように、通知サーバ２０は、計測した負荷情報と直前の負荷情報又は過去の同時刻の負荷情報との変化率がイベント閾値を超えた場合、イベント発生と判定する。そして、イベント通知サーバ２０は、インターネットなどのグローバルネットワークから取得した情報及び周囲の基地局装置１から取得した負荷情報を合わせてイベント種別及びイベントの規模を判定する。そして、イベント通知サーバ２０は、イベント用ＤＲＸパラメータ表３０２を用いて適用するイベント用ＤＲＸパラメータを決定する。さらに、イベント種別判定後、イベント通知サーバ２０は、周囲の基地局装置１のイベント影響度、距離影響度及びイベント規模からイベントの適用範囲及び適用時間を決定する。そして、イベント通知サーバ２０は、決定したイベント適用範囲内の基地局装置１に対して、イベント用ＤＲＸパラメータ及び適用時間を通知する。イベント用ＤＲＸパラメータを受信した基地局装置１は、ＲＲＣ  Ｃｏｎｎｅｃｔｉｏｎ  Ｒｅｃｏｎｆｉｇｕｒａｔｉｏｎメッセージを使用してＵＥ３にＤＲＸパラメータの変更を通知する。このとき、イベント用ＤＲＸパラメータを受信した基地局装置１は、適用パラメータ表４０４などを用いた各曜日の時間帯毎にＤＲＸパラメータの変更を中断する。ＵＥ３は、通知されたイベント用ＤＲＸパラメータにしたがい間欠受信の動作を開始する。
【０１７４】
イベント用ＤＲＸパラメータを受信してから適応時間が経過した場合、又は、発生したイベントが終了したとイベント通知サーバ２０が判定した場合、基地局装置１は、イベント用ＤＲＸパラメータの設定を解除する処理を開始する。例えば、図２０に示すように、電車事故が終了した場合、イベント通知サーバ２０は、イベント用ＤＲＸパラメータを通知した基地局装置１に対してイベント終了を通知する。イベント終了の通知を受けた基地局装置１は、イベント用ＤＲＸパラメータの適用を中止する。そして、基地局装置１は、統計情報を用いたＤＲＸパラメータの設定を開始する。ＵＥ３は、基地局装置１から通知された統計情報を用いたＤＲＸパラメータをもとに間欠受信の動作を開始する。また、各基地局装置１は、イベント通知サーバ２０への負荷情報の送信を継続する。
【０１７５】
ここで、以上の各実施例ではイベント通知サーバ２０を、ＥＭＳ２の内部に配置した場合を例に説明したが、イベント通知サーバ２０は、基地局装置１と接続するネットワーク上に配置されれば他の構成をとることもできる。例えば、イベント通知サーバ２０は、独立した単体のサーバとして構成されてもよい。また、イベント通知サーバ２０は、基地局装置１の中に配置されてもよい。
【０１７６】
（ハードウェア構成）
次に、図２１を参照して、以上の各実施例で説明したイベント通知サーバのハードウェア構成について説明する。図２１は、イベント通知サーバのハードウェア構成図である。ここでは、イベント通知サーバ２０を独立したサーバとして構成されたイベント通知サーバを例に説明する。
【０１７７】
図２１に示すように、イベント通知サーバ２０は、プロセッサ９１、メモリ９２、ハードディスク９３及びＬＡＮ（Local  Area  Network）アダプタ９４を有する。
【０１７８】
メモリ９２、ハードディスク９３及びＬＡＮアダプタ９４は、バスを介してプロセッサ９１と接続する。
【０１７９】
ＬＡＮアダプタ９４は、図３に例示した通信制御部２０１の機能を実現する。
【０１８０】
ハードディスク９３は、図３に例示した負荷情報管理部２０２、イベント発生判定部２０３及びグローバル情報取得部２０４の機能を実現するプログラムを含む各種プログラムを格納する。また、ハードディスク９３は、イベント種別表３０１、イベント用ＤＲＸパラメータ表３０２、イベント影響度表３０３及び距離影響度表３０４を記憶する。
【０１８１】
プロセッサ９１は、ハードディスク９３から各種プログラムを読み出し、メモリ９２上に展開する。そして、プロセッサ９１は、メモリ上に展開したプログラムを実行することで、図３に例示した負荷情報管理部２０２、イベント発生判定部２０３及びグローバル情報取得部２０４の機能を実現する。
【０１８２】
ここで、イベント通知サーバ２０は、他の装置の内部に配置される場合、他の装置のプロセッサやメモリが図２１のプロセッサ９１及びメモリ９２の役割を果たすことで、各機能が実現される。
【符号の説明】
【０１８３】
１，１Ａ〜１Ｊ  基地局装置
２  ＥＭＳ
３  ＵＥ
４  外部装置
１０  ＤＲＸパラメータ制御部
１１  ベースバンド処理部
１２  無線通信部
１３  通信情報管理部
２０  イベント通知サーバ
２１  セル統計データ取集部
２２  無線トレース部
２３  基地局パラメータ設定部
２４  基地局制御部
２５  基地局情報管理部
１０１  負荷情報計測部
１０２  イベント情報管理部
１０３  パラメータ制御部
１０４  情報管理部
２０２  負荷情報管理部
２０３  イベント発生判定部
２０４  グローバル情報取得部
３０１  イベント種別表
３０２  イベント用ＤＲＸパラメータ表
３０３  イベント影響度表
３０４  距離影響度表
３０５  適用時間表
【図１】
0006354521.tif 000002
【図２】
0006354521.tif 000003
【図３】
0006354521.tif 000004
【図４】
0006354521.tif 000005
【図５】
0006354521.tif 000006
【図６】
0006354521.tif 000007
【図７Ａ】
0006354521.tif 000008
【図７Ｂ】
0006354521.tif 000009
【図８】
0006354521.tif 000010
【図９】
0006354521.tif 000011
【図１０】
0006354521.tif 000012
【図１１】
0006354521.tif 000013
【図１２】
0006354521.tif 000014
【図１３】
0006354521.tif 000015
【図１４】
0006354521.tif 000016
【図１５】
0006354521.tif 000017
【図１６】
0006354521.tif 000018
【図１７】
0006354521.tif 000019
【図１８】
0006354521.tif 000020
【図１９】
0006354521.tif 000021
【図２０】
0006354521.tif 000022
【図２１】
0006354521.tif 000023